(57)【要約】      （修正有）【課題】スプール軸のギザギザ形状の問題を解決した、スピニングリール用のスプール軸を提供する。【解決手段】スプール軸は、第１の端１、第２の端２、及び第１の端と第２の端との間に位置付けられる拡大断面３を有する伸長体を含み、拡大断面はスプールを確実に適合できるらせん形係合部４を含むことを特徴とする、スピニングリール用のスプール軸を提供する。【選択図】図１
0003235164.tif 000002
【実用新案登録請求の範囲】
【請求項１】
スピニングリール用のスプール軸であって、
第１の端（１）、第２の端（２）、及び前記第１の端（１）と前記第２の端（２）との間に位置付けられる拡大断面（３）を有する伸長体を含み、前記拡大断面（３）はスプールを確実に適合できるらせん形係合部（４）を含むことを特徴とする、スプール軸。
【請求項２】
前記らせん形係合部（４）はらせん状溝の形態である、請求項１に記載のスプール軸。
【請求項３】
前記らせん状溝は前記スプールと前記スプール軸とを結合するために高強度の保持力のある化合物が塗布される、請求項２に記載のスプール軸。
【請求項４】
前記伸長体はさらに前記第１の端（１）と前記拡大断面（３）との間に位置付けられる第１の中間部（５）を含み、それによって、前記第１の中間部（５）はスピニングリールの制御ブレーキ機構を受けるように構成される、請求項１〜３のいずれか１項に記載のスプール軸。
【請求項５】
前記伸長体はさらに前記第２の端（２）と前記拡大断面（３）との間に位置付けられる第２の中間部（６）を含み、それによって、前記第２の中間部（６）は前記スピニングリールのクラッチ機構を受けるように構成される、請求項１〜４のいずれか１項に記載のスプール軸。
【請求項６】
前記拡大断面（３）は前記第１の端（１）及び前記第２の端（３）よりも大きい断面直径を有する、請求項１〜５のいずれか１項に記載のスプール軸。
【請求項７】
前記第１の端（１）及び前記第２の端（２）は、各々、スピニングリールの１対の対向ベアリングによって支持される、請求項１〜６のいずれか１項に記載のスプール軸。
【考案の詳細な説明】
【技術分野】
【０００１】
本考案は釣りざおのスピニングリールに関する。より具体的には、本考案はスピニングリールで用いるスプール軸に関する。
【背景技術】
【０００２】
スピニングリールは釣りざおの下側に取り付けられる円筒状デバイスである。スピニングリールの主な目的は、釣り糸が回転運動によって効率的に巻くまたは収納することができるように、釣り糸を巻く及び収納する動作を容易にすることである。スピニングリールは、通常、釣り糸が巻かれるスプールを含み、スプールは、スプールの本体を貫通するスプール軸によってスピニングリールの本体に回転可能に支持される。
【０００３】
理想的には、スプールがスプール軸の回転運動によって回転できるように、スプールはスプール軸に堅固に適合するはずである。業務用スプール軸は、概して、スプールの内部通路よりもわずかに大きい断面直径を有するギザギザ形状を含む。ギザギザ形状が内部通路と接触するとき、スプールはギザギザ形状によって適所に堅固に把持される。
【０００４】
上記に言及したように、スプール軸に関する先行技術よりも優れたいくつかの特許技術が存在している。着目するものとして、ハンドルシャフトに並行して配置されるスプール軸が開示されている米国特許第８６７８３０８号明細書が挙げられる。スプール軸は、スピニングリールの第１のベアリング及び第２のベアリングに各々接続される１対の端部と、拡大部に適合するスプールの１対の端部の間に位置する拡大部とを含む。拡大部には、スプールの内面が堅固に把持できるギザギザ形状が設けられる。
【０００５】
それにもかかわらず、ギザギザ形状の加工は、その断面直径がスプール軸の他の部分よりも大きいので、飽きるほど時間が長くかかる可能性がある。２つの異なる直径を有するシャフト本体を生成するために追加のステップが必要となるため、より多くの材料を浪費し、より長い時間がかかる。さらに、ギザギザはローレット加工に限界があることにより平坦でない場合があり、平坦でないギザギザは、スプールに対するギザギザ形状のグリップ性能に影響を及ぼすだろう。この結果として、ギザギザ形状は、スプール軸へのスプールの取付具に均一なグリップ力を提供できない。スプールがスプール軸と整合する必要があるので、ギザギザ形状へのスプールの適合は困難になる。
【０００６】
したがって、スプール軸のギザギザは、上記に言及した問題を解決することが可能である外形と交換する必要がある。本考案は係るスプール軸を提供する。
【先行技術文献】
【特許文献】
【０００７】
【特許文献１】米国特許第８６７８３０８号明細書
【考案の概要】
【考案が解決しようとする課題】
【０００８】
したがって、本考案の目的は、前述の問題の解決策を提供することである。
【課題を解決するための手段】
【０００９】
したがって、本考案はスピニングリール用のスプール軸を提供し、スプール軸は、第１の端、第２の端、及び第１の端と第２の端との間に位置付けられる拡大断面を有する伸長体を含み、拡大断面はスプールを確実に適合できるらせん形係合部を含むことを特徴とする。好ましくは、らせん形係合部はらせん状溝の形態である。係るらせん状溝はスプールとスプール軸とを結合するために高強度の保持力のある化合物が塗布されることができる。
【００１０】
本考案の一実施形態では、伸長体はさらに第１の端と拡大断面との間に位置付けられる第１の中間部を含み得、第１の中間部はスピニングリールの制御ブレーキ機構を受けるように構成できる。
【００１１】
本考案の別の実施形態では、伸長体はさらに第２の端と拡大断面との間に位置付けられる第２の中間部を含み得、第２の中間部はスピニングリールのクラッチ機構を受けるように構成できる。
【００１２】
好ましくは、拡大断面は第１の端及び第２の端よりも大きい断面直径を有し得る。
【００１３】
好ましくは、第１の端及び第２の端は、各々、スピニングリールの１対の対向ベアリングによって支持できる。
【考案の効果】
【００１４】
当業者は、本考案が目的を実施し、言及される目的ならびに利点、及びそれに内在するものを達成するのに十分に適合することを容易に認識する。本明細書に説明される実施形態は、本考案の範囲への制限として意図されない。
【００１５】
本考案の理解を容易にする目的のために、本考案の検証から得られた好ましい実施形態が、付随の図面に示され、以下の説明に関連して考慮するとき、本考案、その構成ならびに動作、及びその多くの利点は、容易に理解及び認識されるだろう。
【図面の簡単な説明】
【００１６】
【図１】スピニングリール用のスプール軸の側面図を示す。
【考案を実施するための形態】
【００１７】
以下に、本考案は、本考案の好ましい実施形態に従って及び付随の説明ならびに図面を参照することによって説明されるものとする。しかしながら、本考案の好ましい実施形態及び図面にこの説明を限定することは、単に本考案の考察を容易にすることを理解されたい。また、添付の請求項の範囲から逸脱することなく、当業者が様々な修正を考案し得ることが想起される。
【００１８】
図１を参照すると、図１に示されるスプール軸は、第１の端（１）、第２の端（２）、及び第１の端（１）と第２の端（２）との間に位置付けられる拡大断面（３）を有する伸長体を含む。伸長体は、金属、硬質プラスチック、または動作中に外力を持続するのに十分な剛性を提供することが可能であるいずれかの他の材料から作ることができる。好ましくは、伸長体は、概して、円筒状であり、非磁性金属から作られる。第１の端（１）及び第２の端（２）は、各々、スピニングリール（図示しない）の第１のベアリング及び第２のベアリングによって受けるようなサイズであり得る。各ベアリングは、スプール軸がベアリングの中心軸を中心に自由に回転することが可能になるボールベアリングの形態であり得る。
【００１９】
第１の端（１）及び第２の端（２）の両方は拡大断面（３）よりも小さい断面直径を有する。この構成は、スプール軸の第１の端（１）及び第２の端（２）がスプール（図示しない）の中心の下の貫通孔を自由に貫通することを可能にし、続いて、拡大断面（３）は貫通孔の内面と接触する。したがって、スプールは拡大断面（３）に取り付けできる。拡大断面（３）には貫通孔の内面が確実に適合できるらせん形係合部（４）が設けられ、スプールがスプール軸の移動と一致して強制的に回転する。
【００２０】
好ましくは、らせん形係合部（４）はらせん状溝の形態である。スプールの内面にはらせん状溝に摺動可能に適合する１つ以上のリブを設けることができる。らせん形係合部は、スプールの貫通孔の対応する溝が受けることができるらせん状突起等の他の形態であり得ることを理解されたい。らせん形係合部（４）がもたらす利点として、スプールがスプール軸に容易に摺動しながら適合でき、スプールが係合するとスプール軸によってスプールを良好に把持することを可能にする大きい接触面を有することが挙げられる。らせん状溝の形態のらせん形係合部（４）は、また、接着剤で満たされ、スプール軸へのスプールの取付具を堅固に固定でき、スプールがスプール軸から滑り落ちることを防止できる。好ましくは、ＬＯＣＴＩＴＥ６３８は接着剤としてらせん形係合部（４）に塗布される。それにもかかわらず、当業者は、接着剤が円筒状構成要素を結合するための高い保持強度を提供する限り、この接着剤を他の種類の接着剤と容易に交換できることが明らかなはずである。
【００２１】
利点をもたらすように、伸長体はさらに第１の端（１）と拡大断面（３）との間に位置付けられる第１の中間部（５）を含み得、第１の中間部（５）はスピニングリールの制御ブレーキ機構（図示しない）を受けるように構成される。第１の中間部（５）は複数の磁石と半径方向に取り付けでき、制御ブレーキ機構は、変動磁場を磁石に向けて導入して、スプール軸が回転している間のスプール軸のトルクを減らすことができる。
【００２２】
利点をもたらすように、伸長体はさらに第２の端（２）と拡大断面（３）との間に位置付けられる第２の中間部（６）を含み得、第２の中間部（６）はスピニングリールのクラッチ機構（図示しない）を受けるように構成される。第２の中間部（６）は係合ピンが貫通できるピン穴（７）を含む。
【００２３】
本考案が詳細に説明され及び示されているが、本考案は、説明及び例示のためのものであり、限定的であるとして解釈するべきでないことを理解されたい。本考案の範囲は添付の請求項の用語だけによって制限される。
【図１】
0003235164.tif 000003